(57)【要約】【課題】  原子力発電所の事故又は放射性廃棄物において、放射性物質の放射線発生能力を人工的に消失させる装置は未だに開発されていない。【解決手段】  Ａ個の磁石を重ね、Ｓ極側の側面からＮ極側に向けて、鉛の導線を左巻きでＢ回巻きをＣ回重ね巻きすると、放射線がＳ極に強制的に吸収され始め、前記鉛の導線を左巻きでＢ回巻きをＣ回重ね巻きした部分がウランの性質を帯び始める。そこで鉛の露出している部分を銅で覆うと、今度はＮ極からウランの性質を帯びた放射線が放出され始める。次に、［請求項１］の放射線吸収装置をＳ極を先にしてアルミニウム製のパイプに挿入すると、前記放射線吸収装置のＮ極から発生しているウランの性質を帯びた放射線は消失される。【選択図】図２
2012233866.tif 000002
【特許請求の範囲】
【請求項１】
Ａ個の磁石を重ね、Ｓ極側の側面からＮ極側に向けて、鉛の導線を左巻きでＢ回巻をＣ回重ね巻きして、鉛の露出している部分を、銅で覆ってなる放射線吸収装置。
【請求項２】
請求項１を基本とした放射線吸収装置をＳ極を先にして、アルミニウム製のパイプに挿入してなる放射線吸収装置。
【請求項３】
請求項１を基本とした放射線吸収装置をＤ個重ねてＳ極を先にしてアルミニウム製のパイプに挿入してなる放射線吸収装置。
（Ａ・Ｂ・Ｃ・Ｄは整数）
【発明の詳細な説明】
【技術分野】
【０００１】  本発明は放射性物質より発生する放射線を強制的に吸収して、放射性物質の放射線発生能力を消失させることを目的とした、放射線吸収装置に関する。
【背景技術】
【０００２】  平成２３年３月１１日の福島原子力発電所の事故において放射性物質の放射線発生能力を消失させる技術を持った装置は見当たらない。
【先行技術文献】
【特許文献】
【０００３】
【特許文献１】  自分の知る限り見当たらない。
【非特許文献】
【０００４】
【非特許文献１】  自分の知る限り見当たらない。
【発明の概要】
【発明が解決しようとする課題】
【０００５】  原子力発電所の事故又は放射性廃棄物において放射性物質の放射線発生能力を人工的に消失させる装置が未だに開発されていない。【０００６】  本発明は、原子力発電所の問題点を解決するためのものであり、放射性物質の放射線発生能力の消失を目的としたものである。
【課題を解決するための手段】
【０００７】  そして、本発明は上記目的を達成するためにＡ個の磁右を重ね、Ｓ極側の側面からＮ極側に向けて、鉛の導線を左巻きでＢ回巻をＣ回重ね巻きして、鉛の露出している部分を銅で覆ってなる放射線吸収装置である。【０００８】  すなわち、この発明は［請求項１］を基本とした放射線吸収装置をＳ極を先にして、アルミニウム製のパイプに挿入してなる放射線吸収装置である。【０００９】  また、他の発明は［請求項１］を基本とした放射線吸収装置をＤ個重ねてＳ極を先にして、アルミニウム製のパイプに挿入してなる放射線吸収装置である。【００１０】  ［請求項１］による課題解決の手段による作用は次の通りである。すなわち、Ａ個の磁石を重ね、Ｓ極側の側面からＮ極側に向けて、鉛の導線を左巻きでＢ回巻をＣ回重ね巻きすると、放射線がＳ極に強制的に吸収され始め、前記鉛の導線を左巻きでＣ回重ね巻きした部分がウランの性質を帯びると共に、ウランの性質を帯びた放射線が放出され始める。そこで、鉛の露出している部分を銅で覆うと、今度はＮ極からウランの性質を帯びた放射線が放出され始める。【００１１】  ［請求項２］による課題解決の手段による作用は次の通りである。すなわち、［請求項１］の放射線吸収装置をＳ極を先にして、アルミニウム製のパイプに挿入と、前記放射線吸収装置のＮ極から発生しているウランの性質を帯びた放射線は消失する。【００１２】  ［請求項３］による課題解決の手段による作用は次の通りである。すなわら、［請求項１］の放射線吸収装置をＤ個重ねてＳ極を先にして、アルミニウム製のパイプに挿入すると、［請求項１］の放射性吸収装置の数に対比した、放射性物質の放射線発生能力が消失される。
【発明の効果】
【００１３】  上述したようにこれらの発明の放射性吸収装置は、放射性物質から放出される放射線を強制的に吸収することで、放射性物質の放射線発生能力を消失させる。このことは、放射性物質に汚染された人・動物・食物・水・物・放射性廃棄物等に放射性吸収装置を使用することで問題は解決される。
【図面の簡単な説明】
【００１４】
【図１】  ［請求項１］の放射性吸収装置の外観図
【図２】  ［請求項１］の放射性吸収装置の断面図
【図３】  ［請求項１］の放射性吸収装置とＳ極を先にしてアルミニウム製のパイプに挿入したときの［請求項１］の放射性吸収装置とアルミニウム製のパイプの断面図
【図４】  ［請求項１］の放射性吸収装置をＤ個重ね、Ｓ極を先にしてアルミニウム製のパイプに挿入したときの［請求項１］の放射性吸収装置とアルミニウム製のパイプの断面図
【発明を実施するための形態】
【００１５】  以下、本発明の実施形態を図１〜図４に基づいて説明する。
【００１６】  図１は［請求項１］の放射性吸収装置▲１▼の外観図である。
【００１７】  図２において厚さ４ｍｍ直径１５ｍｍの１０枚重ねた磁石▲２▼のＳ極側からＮ極側に向けて１、２ｍｍの鉛の導線▲３▼を左巻きで２０回巻きを５回重ね巻きして鉛の露出している部分を幅５ｃｍ長さ１１ｃｍの銅箔▲４▼で覆ってなる［請求項１］の放射性吸収装置▲１▼である。
【００１８】  図３において［請求項１］を基本とした放射性吸収装置▲１▼をＳ極を先にして長さ１０ｃｍ直径３０ｍｍのアルミニウム製のパイプ▲５▼に挿入すると、１マイクロシーベルトの放射性物質の放射線発生能力を消失させる能力を有する［請求項２］の放射性吸収装置▲６▼である。
さらに前記［請求項２］の放射性吸収装置▲６▼のＳ極側に長さ２０ｍｍ直径３２ｍｍのアルミ製のキャップ▲７▼をすることで前記［請求項２］の放射性吸収装置▲６▼は機能停止状態となる。
そして前記［請求項２］の放射性吸収装置▲６▼から外部に放射線を放出させないため、Ｎ極側にも長さ２０ｍｍ直径３２ｍｍのアルミ製のキャップ▲８▼をする。
【００１９】  図４において［請求項１］を基本とした放射性吸収装置▲１▼を１５個重ねてＳ極を先にして長さ１００ｃｍ直径３０ｍｍアルミニウム製のパイプ▲９▼に挿入すると、１０７マイクロシーベルトの放射性物質の放射線発生能力を消失させる能力を有する［請求項３］の放射性吸収装置▲１０▼である。そして前記［請求項３］の放射性吸収装置▲１０▼のＳ極側に長さ３０ｍｍ直径３２ｍｍのアルミ製のキャップ▲１１▼をすると前記［請求項３］の放射性吸収装置▲１０▼は機能停止状態となる。さらに前記［請求項３］の放射性吸収装置▲１０▼から外部に放射線を放出させないため、Ｎ極側にも長さ３０ｍｍ直径３２ｍｍのアルミ製のキャップ▲１２▼をする。
【符号の説明】
【００２０】［請求項１］の放射性吸収装置・・・▲１▼
厚さ４ｍｍ直径１５ｍｍの１０枚重ねた磁石・・・▲２▼
１、２ｍｍの鉛の導線・・・▲３▼
幅５ｃｍ長さ１１ｃｍの銅箔・・・▲４▼
長さ１０ｃｍ直径３０ｍｍのアルミニウム製のパイプ・・・▲５▼
［請求項２］の放射性吸収装置・・・▲６▼
長さ２０ｍｍ直径３２ｍｍのＳ極側のアルミニウム製のキャップ・・・▲７▼
長さ２０ｍｍ直径３２ｍｍのＮ極側のアルミニウム製のキャップ・・・▲８▼
長さ１００ｃｍ直径３０ｍｍのアルミニウム製のパイプ・・・▲９▼
［請求項３］の放射線吸収装置・・・▲１０▼
長さ３０ｍｍ直径３２ｍｍのＳ極側のアルミニウム製のキャップ・・・▲１１▼
長さ３０ｍｍ直径３２ｍｍのＮ極側のアルミニウム製のキャップ・・・▲１２▼
【図１】
2012233866.tif 000003
【図２】
2012233866.tif 000004
【図３】
2012233866.tif 000005
【図４】
2012233866.tif 000006